(57)【要約】【課題】  光接続箱の内部空間を効率良く使用し、光接続箱の小型化を可能とする光接続箱を提供する。【解決手段】  導入した光ファイバケーブル６を固定するケーブルクランプ２と光ファイバケーブル６のテンションメンバ７を支持するテンションメンバ押さえ３をケース１の最下層に配置し、固定したテンションメンバ７を覆う中間層に光ファイバ融着接続部の保護と余長分を収容するためのトレイ４を配置し、トレイ４の上部となるケース内最上層に光ファイバ同士を接続するための光アダプタ５を配置した。【選択図】  図３
2008170890.tif 000002
【特許請求の範囲】
【請求項１】
光ファイバケーブルを固定するケーブルクランプと前記光ファイバケーブルのテンションメンバを支持するテンションメンバ押さえとをケース内の最下層に配置し、前記光ファイバケーブルから露出させた光ファイバの融着接続部保護と光ファイバ余長分を収容するためのトレイを、前記テンションメンバ上部となる中間層に配置し、前記トレイの上層となるケース内最上層に光ファイバ同士を接続するための光アダプタを配置して成ることを特徴とする光接続箱。
【請求項２】
ケーブルクランプを光ファイバケーブルをケース内に導入するケース前面近傍に配置すると共に、テンションメンバ押さえをケース背面近傍に配置し、双方の間に配設されたテンションメンバ上部にトレイを配置した請求項１記載の光接続箱。
【発明の詳細な説明】
【技術分野】
【０００１】
本発明は、光ファイバケーブルを分岐したり光ファイバ同士を接続する際に使用する光接続箱に関する。
【背景技術】
【０００２】
光ファイバケーブルを分岐接続したり光ファイバ同士を接続する際には光接続箱が使用され、光接続箱内には光ファイバ同士を接続するための光アダプタや、光ファイバ融着接続部を保護したり余長分を収容するトレイが設けられている。
このような光接続箱は具体的に、薄型に形成されたケース内に引き込んだ光ファイバケーブルを固定するケーブルクランプ、光ファイバケーブルから取り出したテンションメンバを支持固定するテンションメンバ押さえが設けられ、隣接するスペースに光ファイバの融着部を収容するトレイや光アダプタが分散して配置されていた（例えば、特許文献１参照）。
【特許文献１】特開平１１−１２５７２２号公報
【発明の開示】
【発明が解決しようとする課題】
【０００３】
しかしながら、上記従来の光接続箱は個々の部材が平面的に配置されていたため、使用されない内部空間が多く存在し、多数の光接続箱を使用しなければならない場合等大きな設置スペースが必要であった。
そこで、本発明はこのような問題点に鑑み、光接続箱の内部空間を効率良く使用し、光接続箱の小型化を可能とする光接続箱を提供することを目的とする。
【課題を解決するための手段】
【０００４】
上記課題を解決する為に、請求項１に記載の発明は、光ファイバケーブルを固定するケーブルクランプと前記光ファイバケーブルのテンションメンバを支持するテンションメンバ押さえとをケース内の最下層に配置し、前記光ファイバケーブルから露出させた光ファイバの融着接続部保護と光ファイバ余長分を収容するためのトレイを、前記テンションメンバ上部となる中間層に配置し、前記トレイの上層となるケース内最上層に光ファイバ同士を接続するための光アダプタを配置して成ることを特徴とする。
この構成により、部材を重ねるように配置するため、ケース内スペースを有効に利用でき、光接続箱の外形を小さくできる。また、各部材は光ファイバケーブルの施工順に上方へ配置されるので、施工途中で部材を外す等の下層に戻る手間がなく、施工工数が増えるような事がない。更に、導入した光ファイバケーブルから取り出した光ファイバはトレイで覆うよう配置できるので、光ファイバをチューブに入れることなく保護することができる。
【０００５】
請求項２の発明は、請求項１に記載の発明において、ケーブルクランプを光ファイバケーブルをケース内に導入するケース前面近傍に配置すると共に、テンションメンバ押さえをケース背面近傍に配置し、双方の間に配設されたテンションメンバ上部にトレイを配置したことを特徴とする。
この構成により、光ファイバケーブル導入部の上部にトレイを配置しても、ケーブルクランプやテンションメンバ押さえの高さに関係なくトレイを配置することができ、ケースの厚みを抑制できる。
【発明の効果】
【０００６】
本発明によれば、部材を重ねるように配置するため、ケース内スペースを有効活用でき、光接続箱の外形を小さくできる。また、各部材は光ファイバケーブルの施工順に上方へ配置されるので、施工途中で部材を外す等の下層に戻る手間がなく、施工工数が増えるような事がない。更に、導入した光ファイバケーブルから取り出した光ファイバはトレイで覆うよう配置できるので、光ファイバをチューブに入れることなく保護することができる。
【発明を実施するための最良の形態】
【０００７】
以下、本発明を具体化した実施の形態を、図面に基づいて詳細に説明する。図１〜図３は本発明に係る光接続箱の一例を示し、図１は蓋板を外した状態の平面図、図２は内部を透視した正面説明図、図３は内部を透視した右側面説明図である。
各図において、１ａは光接続箱ケース１の一方を構成するケース本体、１ｂはケース１の他方を構成する蓋板、２はケーブルクランプ、３はテンションメンバ押さえ、４は光ファイバを収容するトレイ、５は光アダプタ、６は光ファイバケーブル、７はテンションメンバを示している。尚、光ファイバケーブル６からテンションメンバ７と共に取り出された複数の光ファイバは記載が省略されている。
【０００８】
ケース本体１ａは四角形箱状に形成されて上部が開放されている。ケーブルクランプ２は、このケース本体１ａの底板１０の前面側に設置され、前方から導入された光ファイバケーブル６が挟持されて固定される。また、テンションメンバ押さえ３は底板１０の背板側に設置され、導入された光ファイバケーブル６から取り出したテンションメンバ７が挟持され支持される。
蓋板１ｂは、４隅にローレット付ネジ１１が配置され、施蓋後ケース本体１ａに４隅を螺着することで連結される。
【０００９】
トレイ４は、光ファイバ収容部を有するトレイ本体４ａと、トレイ本体４ａの開放された上部を閉塞する閉塞板４ｂとから成り、閉塞板４ｂはトレイ本体４ａに蝶着されている。そして、四方の各側面には光ファイバを入出させるための挿通孔１２が形成され、光ファイバの融着接続部や光ファイバの余長分が挿通孔１２から収容されて保護される。
このトレイ４はケース１中央の空間に配置され、また図３に示すようにケーブルクランプ２からテンションメンバ押さえ３の間のテンションメンバ７に近接させて、光ファイバ及びテンションメンバ７を覆うように、テンションメンバ７の上部に配置されている。このトレイは、底板１０に支持部材１３を介して固定されている。
【００１０】
光アダプタ５は、トレイ４の更に上方に配置されている。この光アダプタ５は、ケース底板１０の右隅にネジ止め固定された略Ｌ字状の支持金具１４により底板１０に固定され、支持金具１４には複数の光アダプタ５，５・・が左右方向に並設され、前後方向から光ファイバ端部に装着された光コネクタ（図示せず）を接続可能としている。こうして、ケース１内部は略３層に分けられ、最下層に光ファイバケーブル導入部、中間層に光ファイバ収容部、最上層に光ファイバ接続部を配置している。
【００１１】
上述した如く構成された光接続箱に導入された光ファイバケーブル６は、被覆が除去されて露出された芯線である光ファイバとテンションメンバ７が取り出されて、テンションメンバ７はテンションメンバ押さえ３に支持される。そして、取り出した光ファイバは、他の光ファイバと融着接続等されて、余長分と合わせてトレイ４に収容された後、光アダプタ５を介し別途ケース１内に引き込まれた光ファイバと接続される。
【００１２】
このように、部材を重ねるように配置するため、ケース内スペースを有効活用でき、光接続箱の外形を小さくできる。また、各部材は光ファイバケーブルの施工順に上方へ配置されるので、施工途中で部材を外す等の下層に戻る手間がなく、施工工数が増えるような事がない。更に、導入した光ファイバケーブルから取り出した光ファイバはトレイで覆うよう配置できるので、光ファイバをチューブに入れることなく保護することができる。
また、光ファイバケーブル導入部の上部にトレイを配置しても、ケーブルクランプやテンションメンバ押さえの高さに関係なくトレイを配置することができ、ケースの厚みを抑制できる。
【００１３】
尚、上記実施形態では、トレイ４に重ねるように光アダプタ５を配置してるが、光アダプタ５はトレイ４に重ならなくとも良い。光アダプタ５に接続する光ファイバがトレイ上に配設されるように光アダプタ５を配置するだけでも、空間を無駄なく利用できケース１の小型化に有効である。
【図面の簡単な説明】
【００１４】
【図１】本発明に係る光接続箱の実施形態の一例を示す平面図であり、蓋板を外した状態を示している。
【図２】蓋板を装着した図１の正面説明図であり、内部を透視した状態を示している。
【図３】蓋板を装着した図１の側面説明図であり、内部を透視した状態を示している。
【符号の説明】
【００１５】
１・・ケース、２・・ケーブルクランプ、３・・テンションメンバ押さえ、４・・トレイ、５・・光アダプタ、６・・光ファイバケーブル、７・・テンションメンバ、１０・・底板。
【図１】
2008170890.tif 000003
【図２】
2008170890.tif 000004
【図３】
2008170890.tif 000005